(57)【要約】【課題】不正に入手された外部記憶媒体（例えば、ＩＣカード）でデジタル放送が視聴されてしまうことを防止すること。【解決手段】放送システムは、送信装置と受信装置とを備える。送信装置は、暗号化された放送信号を送信する送信部を備える。受信装置は、送信装置から送信された放送信号を受信する受信部と、暗号化された放送信号を解読する情報が記録された外部記憶媒体を接続する接続部と、受信装置を識別可能な識別情報と外部記憶媒体に記録された情報とを関連付けた管理情報を管理する管理部と、管理部が管理する管理情報に基づいて、受信部が受信した暗号化された放送信号を復号する復号部とを備える。【選択図】図１
2020053887.tif 000002
【特許請求の範囲】
【請求項１】
放送信号を送信する送信装置と、前記送信装置から送信された放送信号を受信する受信装置とを備える放送システムであって、
前記送信装置は、
暗号化された放送信号を送信する送信部、
を備え、
前記受信装置は、
前記送信装置から送信された放送信号を受信する受信部と、
前記暗号化された放送信号を解読する情報が記録された外部記憶媒体を接続する接続部と、
前記受信装置を識別可能な識別情報と前記外部記憶媒体に記録された情報とを関連付けた管理情報を管理する管理部と、
前記管理部が管理する前記管理情報に基づいて、前記受信部が受信した暗号化された放送信号を復号する復号部と、
を備える放送システム。
【請求項２】
前記復号部は、
前記受信装置を識別可能な識別情報と前記外部記憶媒体に記録された情報との組み合わせに基づいて生成された暗号鍵を用いて、前記受信部が受信した暗号化された放送信号を復号する、
請求項１に記載の放送システム。
【請求項３】
前記送信装置は、
前記受信装置の前記管理部が管理する前記管理情報に基づいて、前記受信装置を識別可能な識別情報と前記外部記憶媒体に記録された情報との組み合わせごとに暗号鍵を生成する鍵生成部と、
前記鍵生成部が生成した暗号鍵を用いて放送信号を暗号化する暗号化部と、
を備え、
前記送信部は、
前記暗号化された放送信号を送信するとともに、前記鍵生成部が生成した暗号鍵を前記受信装置へ送信し、
前記復号部は、
前記送信装置から送信された暗号鍵と前記管理部が管理する前記管理情報とに基づいて、前記受信部が受信した暗号化された放送信号を復号する、
請求項２に記載の放送システム。
【請求項４】
放送信号を送信する送信装置から送信された暗号化された放送信号を受信する受信部と、
前記暗号化された放送信号を解読する情報が記録された外部記憶媒体を接続する接続部と、
自受信装置を識別可能な識別情報と前記外部記憶媒体に記録された情報とを関連付けた管理情報を管理する管理部と、
前記管理部が管理する前記管理情報に基づいて、前記受信部が受信した暗号化された放送信号を復号する復号部と、
を備える受信装置。
【請求項５】
受信装置を識別可能な識別情報と外部記憶媒体に記録された情報との組み合わせごとに暗号鍵を生成する鍵生成部と、
前記鍵生成部が生成した暗号鍵を用いて放送信号を暗号化する暗号化部と、
前記暗号化部により暗号化された放送信号を送信するとともに、前記鍵生成部が生成した暗号鍵を前記受信装置へ送信する送信部と、
を備える送信装置。
【請求項６】
放送システムにおける制御方法であって、
送信装置は、
送信部が、暗号化された放送信号を送信する送信ステップ、
を有し、
前記暗号化された放送信号を解読する情報が記録された外部記憶媒体を接続する接続部を備える受信装置は、
受信部が、前記送信装置から送信された放送信号を受信する受信ステップと、
管理部が、前記受信装置を識別可能な識別情報と前記外部記憶媒体に記録された情報とを関連付けた管理情報を管理する管理ステップと、
復号部が、前記管理部が管理する前記管理情報に基づいて、前記受信部が受信した暗号化された放送信号を復号する復号ステップと、
を有する制御方法。
【請求項７】
暗号化された放送信号を解読する情報が記録された外部記憶媒体を接続する接続部を備える受信装置における制御方法であって、
受信部が、放送信号を送信する送信装置から送信された暗号化された放送信号を受信する受信ステップと、
管理部が、前記受信装置を識別可能な識別情報と前記外部記憶媒体に記録された情報とを関連付けた管理情報を管理する管理ステップと、
復号部が、前記管理部が管理する前記管理情報に基づいて、前記受信部が受信した暗号化された放送信号を復号する復号ステップと、
を有する制御方法。
【請求項８】
送信装置における制御方法であって、
鍵生成部が、受信装置を識別可能な識別情報と外部記憶媒体に記録された情報との組み合わせごとに暗号鍵を生成する鍵生成ステップと、
暗号化部が、前記鍵生成部が生成した暗号鍵を用いて放送信号を暗号化する暗号化ステップと、
送信部が、前記暗号化部により暗号化された放送信号を送信するとともに、前記鍵生成部が生成した暗号鍵を前記受信装置へ送信する送信ステップと、
を有する制御方法。
【請求項９】
暗号化された放送信号を解読する情報が記録された外部記憶媒体を接続する接続部を備える受信装置としてのコンピュータに、
放送信号を送信する送信装置から送信された暗号化された放送信号を受信する受信ステップと、
前記受信装置を識別可能な識別情報と前記外部記憶媒体に記録された情報とを関連付けた管理情報を管理する管理ステップと、
前記管理情報に基づいて、前記受信ステップにおいて受信した暗号化された放送信号を復号する復号ステップと、
を実行させるためのプログラム。
【請求項１０】
送信装置としてのコンピュータに、
受信装置を識別可能な識別情報と外部記憶媒体に記録された情報との組み合わせごとに暗号鍵を生成する鍵生成ステップと、
前記鍵生成ステップにおいて生成した暗号鍵を用いて放送信号を暗号化する暗号化ステップと、
前記暗号化ステップにより暗号化された放送信号を送信するとともに、前記鍵生成ステップにおいて生成した暗号鍵を前記受信装置へ送信する送信ステップと、
を実行させるためのプログラム。
【発明の詳細な説明】
【技術分野】
【０００１】
本発明は、放送システム、受信装置、送信装置、制御方法、及びプログラムに関する。
【背景技術】
【０００２】
ＢＳデジタル放送、地上デジタル放送、１１０度ＣＳデジタル放送などは、映像や音声をデジタルデータとして送受信するため、不正コピーを防ぐためにデータを暗号化している。このため、デジタル放送を受信する受信装置(テレビやチューナ)には、Ｂ-ＣＡＳカード(ＢＳ−Ｃｏｎｄｉｔｉｏｎａｌ  Ａｃｃｅｓｓ  Ｓｙｓｔｅｍ  Ｃａｒｄ)と呼ばれる暗号を解除（解読）するための情報が記録された外部記憶媒体であるＩＣカードが添付（同梱）されている（例えば、特許文献１）。このＩＣカードを受信装置に装着することでデジタル放送の視聴が可能である。また、有料チャンネルなどのような個別に契約が必要なチャンネルについては放送事業者と視聴契約を行ったＩＣカードを受信装置に装着することで、契約したチャンネルの視聴が可能である。
【先行技術文献】
【特許文献】
【０００３】
【特許文献１】特開２００７−２０８７２５号公報
【発明の概要】
【発明が解決しようとする課題】
【０００４】
しかしながら、特許文献１に記載されているような従来のシステムでは、契約済みのＩＣカードであるかを判断するだけで視聴が可能であったため、盗難や転売で不正に入手された契約済みのＩＣカードを受信装置に装着した場合も視聴が可能であった。つまり、ＩＣカードを不正に使用して有料チャンネルなどを視聴することが可能であった。
【０００５】
本発明は上記の点に鑑みてなされたものであり、不正に入手された外部記憶媒体（例えば、ＩＣカード）でデジタル放送が視聴されてしまうことを防止する放送システム、受信装置、送信装置、制御方法、及びプログラムを提供することを課題とする。
【課題を解決するための手段】
【０００６】
本発明は上記の課題を解決するためになされたものであり、本発明の一態様は、放送信号を送信する送信装置と、前記送信装置から送信された放送信号を受信する受信装置とを備える放送システムであって、前記送信装置は、暗号化された放送信号を送信する送信部、を備え、前記受信装置は、前記送信装置から送信された放送信号を受信する受信部と、前記暗号化された放送信号を解読する情報が記録された外部記憶媒体を接続する接続部と、前記受信装置を識別可能な識別情報と前記外部記憶媒体に記録された情報とを関連付けた管理情報を管理する管理部と、前記管理部が管理する前記管理情報に基づいて、前記受信部が受信した暗号化された放送信号を復号する復号部と、を備える放送システムである。
【０００７】
また、本発明の一態様は、放送信号を送信する送信装置から送信された暗号化された放送信号を受信する受信部と、前記暗号化された放送信号を解読する情報が記録された外部記憶媒体を接続する接続部と、自受信装置を識別可能な識別情報と前記外部記憶媒体に記録された情報とを関連付けた管理情報を管理する管理部と、前記管理部が管理する前記管理情報に基づいて、前記受信部が受信した暗号化された放送信号を復号する復号部と、を備える受信装置である。
【０００８】
また、本発明の一態様は、受信装置を識別可能な識別情報と外部記憶媒体に記録された情報との組み合わせごとに暗号鍵を生成する鍵生成部と、前記鍵生成部が生成した暗号鍵を用いて放送信号を暗号化する暗号化部と、前記暗号化部により暗号化された放送信号を送信するとともに、前記鍵生成部が生成した暗号鍵を前記受信装置へ送信する送信部と、を備える送信装置である。
【０００９】
また、本発明の一態様は、放送システムにおける制御方法であって、送信装置は、送信部が、暗号化された放送信号を送信する送信ステップ、を有し、前記暗号化された放送信号を解読する情報が記録された外部記憶媒体を接続する接続部を備える受信装置は、受信部が、前記送信装置から送信された放送信号を受信する受信ステップと、管理部が、前記受信装置を識別可能な識別情報と前記外部記憶媒体に記録された情報とを関連付けた管理情報を管理する管理ステップと、復号部が、前記管理部が管理する前記管理情報に基づいて、前記受信部が受信した暗号化された放送信号を復号する復号ステップと、を有する制御方法である。
【００１０】
また、本発明の一態様は、暗号化された放送信号を解読する情報が記録された外部記憶媒体を接続する接続部を備える受信装置における制御方法であって、受信部が、放送信号を送信する送信装置から送信された暗号化された放送信号を受信する受信ステップと、管理部が、前記受信装置を識別可能な識別情報と前記外部記憶媒体に記録された情報とを関連付けた管理情報を管理する管理ステップと、復号部が、前記管理部が管理する前記管理情報に基づいて、前記受信部が受信した暗号化された放送信号を復号する復号ステップと、を有する制御方法である。
【００１１】
また、本発明の一態様は、送信装置における制御方法であって、鍵生成部が、受信装置を識別可能な識別情報と外部記憶媒体に記録された情報との組み合わせごとに暗号鍵を生成する鍵生成ステップと、暗号化部が、前記鍵生成部が生成した暗号鍵を用いて放送信号を暗号化する暗号化ステップと、送信部が、前記暗号化部により暗号化された放送信号を送信するとともに、前記鍵生成部が生成した暗号鍵を前記受信装置へ送信する送信ステップと、を有する制御方法である。
【００１２】
また、本発明の一態様は、暗号化された放送信号を解読する情報が記録された外部記憶媒体を接続する接続部を備える受信装置としてのコンピュータに、放送信号を送信する送信装置から送信された暗号化された放送信号を受信する受信ステップと、前記受信装置を識別可能な識別情報と前記外部記憶媒体に記録された情報とを関連付けた管理情報を管理する管理ステップと、前記管理情報に基づいて、前記受信ステップにおいて受信した暗号化された放送信号を復号する復号ステップと、を実行させるためのプログラムである。
【００１３】
また、本発明の一態様は、送信装置としてのコンピュータに、受信装置を識別可能な識別情報と外部記憶媒体に記録された情報との組み合わせごとに暗号鍵を生成する鍵生成ステップと、前記鍵生成ステップにおいて生成した暗号鍵を用いて放送信号を暗号化する暗号化ステップと、前記暗号化ステップにより暗号化された放送信号を送信するとともに、前記鍵生成ステップにおいて生成した暗号鍵を前記受信装置へ送信する送信ステップと、を実行させるためのプログラムである。
【発明の効果】
【００１４】
本発明によれば、不正に入手された外部記憶媒体（例えば、ＩＣカード）でデジタル放送が視聴されてしまうことを防止することができる。
【図面の簡単な説明】
【００１５】
【図１】実施形態に係る放送システムの一例を示すシステム図。
【図２】実施形態に係る送信装置の構成の一例を示すブロック図。
【図３】実施形態に係る受信装置の構成の第一例を示すブロック図。
【図４】実施形態に係る受信装置の構成の第二例を示すブロック図。
【図５】実施形態に係る暗号鍵生成処理の一例を示すフローチャート。
【図６】実施形態に係る復号処理（暗号解除処理）の一例を示すフローチャート。
【発明を実施するための形態】
【００１６】
以下、図面を参照しながら本発明の一実施形態について説明する。
［放送システム１０の概要］
図１は、本実施形態に係る放送システムの一例を示すシステム図である。図示する放送システム１０は、ＢＳデジタル放送、地上デジタル放送、１１０度ＣＳデジタル放送などの放送番組を放送する放送事業者（放送局）の送信装置１００と、送信装置１００から送信（放送）される放送信号を受信する受信装置２００（２００Ａ、２００Ｂ）などを含んで構成される。放送システム１０は、特定の視聴者だけに放送番組を提供する限定受信システムである。送信装置１００は、放送する映像や音声のデジタルデータを暗号化した放送信号を放送アンテナ３０から送信する。送信装置１００から送信される放送信号のうち衛星放送（ＢＳデジタル放送、１１０度ＣＳデジタル放送など）の放送信号は、放送衛星４０を介して受信側の受信アンテナ５０へ送られる。送信装置１００から送信される放送信号は、受信側（例えば、各家庭）の受信アンテナ５０を介して受信装置２００（２００Ａ、２００Ｂ）で受信される。なお、送信装置１００は、新４Ｋ８Ｋ衛星放送の放送番組を放送してもよい。
【００１７】
受信装置２００（２００Ａ、２００Ｂ）は、送信装置１００から送信される放送信号を受信アンテナ５０を介して受信し、受信した放送信号を復調及び復号（暗号解除）し、視聴可能な映像及び音声信号を生成する。ここで、受信装置２００Ａは、放送信号を受信して表示するテレビジョン装置（テレビ）である。一方、受信装置２００Ｂは、放送信号を受信して外部に接続された表示装置へ映像及び音声信号を出力するチューナ（所謂、ＳＴＢ：Ｓｅｔ  Ｔｏｐ  Ｂｏｘ）である。例えば、受信アンテナ５０を介して受信した放送信号は、ケーブル４を介して受信装置２００Ａに送られ、さらに受信装置２００Ａからケーブル５を介して受信装置２００Ｂへ送られる。受信装置２００Ａは、受信した放送信号から生成した映像及び音声信号を視聴可能なように表示する。また、受信装置２００Ａは、受信装置２００Ｂの表示装置としても構成され、受信装置２００Ｂから出力された映像及び音声信号がケーブル６を介して入力され、入力された映像及び音声信号を表示する。なお、図示する受信装置２００Ａ、受信装置２００Ｂの接続例は一例であって、これに限られるものではない。以下では、受信装置２００Ａと受信装置２００Ｂとを特に区別しない場合には、単に受信装置２００と記載する。
【００１８】
本実施形態に係る放送システム１０では、Ｂ-ＣＡＳカード(ＢＳ−Ｃｏｎｄｉｔｉｏｎａｌ  Ａｃｃｅｓｓ  Ｓｙｓｔｅｍ  Ｃａｒｄ)と呼ばれる暗号を解除（解読）するために必要な情報が記録された外部記憶媒体であるＩＣカード（以下、「ＣＡＳカード」と称する）を受信装置２００に装着する。また、受信装置２００は、装着されたＣＡＳカードの記録された情報（例えば、カード番号）と、受信装置２００を一意に識別可能な識別情報（例えば、機器ＩＤ）とを関連付けて管理する。例えば、受信装置２００Ａは、受信装置２００Ａに装着されたＣＡＳカード（ＣＡＳ１）のカード番号と受信装置２００Ａの機器ＩＤとを関連付けられて管理する。受信装置２００Ｂは、受信装置２００Ｂに装着されたＣＡＳカード（ＣＡＳ２）のカード番号と受信装置２００Ｂの機器ＩＤとを関連付けられて管理する。
【００１９】
送信装置１００は、受信装置２００で関連付けられているカード番号と機器ＩＤとに基づいて、暗号鍵（鍵データ）を生成する。例えば、送信装置１００は、受信装置２００ごとに関連付けられているカード番号と機器ＩＤとが含まれる暗号鍵を生成する。一例として、送信装置１００は、受信装置２００Ａに装着されたＣＡＳカード（ＣＡＳ１）のカード番号と受信装置２００Ａの機器ＩＤとの組み合わせが含まれる暗号鍵を生成する。また、送信装置１００は、受信装置２００Ｂに装着されたＣＡＳカード（ＣＡＳ２）のカード番号と受信装置２００Ｂの機器ＩＤとの組み合わせが含まれる暗号鍵を生成する。送信装置１００は、この生成した暗号鍵を用いて暗号化した放送信号を送信する。これにより、放送システム１０では、受信装置２００で管理されているカード番号と機器ＩＤとの組み合わせのみで放送信号の復号（暗号解除）が可能となる。よって、受信装置２００に正規のＣＡＳカードが装着されている状態でのみ放送番組の視聴が可能となり、不正に入手されたＣＡＳカードでデジタル放送が視聴されてしまうことを防止することができる。以下、本実施形態の具体的な構成について説明する。
【００２０】
［送信装置の構成］
図２を参照して、本実施形態に係る送信装置１００の構成を説明する。
図２は、本実施形態に係る送信装置１００の構成の一例を示すブロック図である。送信装置１００は、送信信号処理部１１０と、暗号化部１２０と、制御部１３０と、を備えている。送信信号処理部１１０は、映像・音声エンコード部１１１と、映像・音声同期制御部１１２と、バッファ部１１３と、パケット化部１１４と、ＳＩ生成・パケット化部１１５と、多重化部１１６と、変調部１１７と、送信部１１８とを備えている。
【００２１】
映像・音声エンコード部１１１には、放送番組の映像信号及び音声信号が入力される。映像・音声エンコード部１１１は、入力された映像信号及び音声信号をデジタルの映像データ及び音声データに変換し、バッファ部１１３へ供給する。映像・音声同期制御部１１２は、映像データと音声データの同期を制御する。
【００２２】
バッファ部１１３へ供給された映像データ及び音声データは、パケット化部１１４でパケット化される。現行の放送（ＢＳデジタル放送、地上デジタル放送、１１０度ＣＳデジタル放送など）ではＭＰＥＧ−２  ＴＳ（Ｔｒａｎｓｐｏｒｔ  Ｓｔｒｅａｍ）方式でパケット化される。なお、新４Ｋ８Ｋ衛星放送では、ＭＭＴ（ＭＰＥＧ  Ｍｅｄｉａ  Ｔｒａｎｓｐｏｒｔ）−ＴＬＶ（Ｔｙｐｅ  Ｌｅｎｇｔｈ  Ｖａｌｕｅ）方式でパケット化される。
【００２３】
ＳＩ生成・パケット化部１１５は、番組配列情報などの付加情報を生成し、パケット化する。例えば、ＭＰＥＧ−２  ＴＳ方式の放送信号を送信する場合には、ＳＩ生成・パケット化部１１５は、ＳＩ（Ｓｅｒｖｉｃｅ  Ｉｎｆｏｒｍａｔｉｏｎ）を生成し、パケット化する。なお、ＭＭＴ−ＴＬＶ方式の放送信号を送信する場合には、ＳＩ生成・パケット化部１１５は、ＭＭＴ−ＳＩ（Ｓｉｇｎａｌｉｎｇ  Ｉｎｆｏｒｍａｔｉｏｎ）を生成し、パケット化する。
【００２４】
多重化部１１６は、パケット化されたＳＩ（或いはＭＭＴ−ＳＩ）のデータ、パケット化されたＴＳ（或いはＴＬＶ）のデータなどをＭＰＥＧ−２  ＴＳ方式（或いは、ＭＭＴ−ＴＬＶ方式）で多重化する。多重化された放送データは、暗号化部１２０により暗号化され、変調部１１７へ供給される。変調部１１７は、暗号化された放送データを放送信号の規格に変調する。送信部１１８は、変調部１１７で変調された放送信号を放送アンテナ３０を介して送信する。
【００２５】
暗号化部１２０は、ＣＡＳ管理部１２１と、ＣＡＳスクランブル部１２２とを備えている。ＣＡＳ管理部１２１は、受信装置２００の機器ＩＤと、その受信装置２００に添付（同梱）されていたＣＡＳカードのカード番号とを関連付けて管理する。つまり、ＣＡＳ管理部１２１は、受信装置２００の機器ＩＤと、その受信装置２００に装着されるべきＣＡＳカードのカード番号とを関連付けて管理する。例えば、ＣＡＳ管理部１２１は、ＥＥＰＲＯＭ（Ｅｌｅｃｔｒｉｃａｌｌｙ  Ｅｒａｓａｂａｌｅ  Ｐｒｏｇｒａｍｍａｂｌｅ  Ｒｅａｄ  Ｏｎｌｙ  Ｍｅｍｏｒｙ）などのメモリに、カード番号と機器ＩＤとを関連付けて保存する。なお、ＣＡＳ管理部１２１は、受信装置２００の機器ＩＤとＣＡＳカードのカード番号との関連付け情報を、受信装置２００から送信されることにより取得してもよいし、ユーザが視聴契約する際に登録した契約情報から取得してもよい。
【００２６】
また、ＣＡＳ管理部１２１は、カード番号と機器ＩＤとの関連付け情報に基づいて制御部１３０で生成された暗号鍵を管理する。例えば、ＣＡＳ管理部１２１は、制御部１３０によって生成された暗号鍵を上記カード番号または機器ＩＤと関連付けてＥＥＰＲＯＭなどのメモリに保存する。
【００２７】
ＣＡＳスクランブル部１２２は、放送番組を暗号化して送信部１１８から送信するための処理を行う。例えば、ＣＡＳスクランブル部１２２は、多重化部１１６で多重化された放送データをＣＡＳ管理部１２１で管理されている暗号鍵を用いて暗号化し、変調部１１７へ供給する。
【００２８】
制御部１３０は、ＣＡＳ管理部１２１で管理されているカード番号と機器ＩＤとの関連付け情報に基づいて暗号鍵を生成する。例えば、制御部１３０は、各受信装置２００の機器ＩＤと、各受信装置２００に添付（同梱）されていたＣＡＳカードのカード番号とが含まれる暗号鍵を生成する。制御部１３０は、生成した暗号鍵をＣＡＳ管理部１２１へ供給する。
【００２９】
なお、制御部１３０がカード番号と機器ＩＤとの関連付け情報に基づいて生成する暗号鍵は、ＥＭＭ（Ｅｎｔｉｔｌｅｍｅｎｔ  Ｍａｎａｇｅｍｅｎｔ  Ｍｅｓｓａｇｅ）を暗号化するためのＣＡＳカードごとに固有に設定される鍵（マスター鍵）であってもよいし、ＥＣＭ（Ｅｎｔｉｔｌｅｍｅｎｔ  Ｃｏｎｔｒｏｌ  Ｍｅｓｓａｇｅ）を暗号化するための鍵（ワーク鍵：ＥＭＭに含まれ送信される鍵）であってもよい。また、上記暗号鍵は、放送番組の映像及び音声データを暗号化するための鍵（スクランブル鍵）であってもよい。
【００３０】
また、暗号化する処理は、多重化の後に限らず、多重化の前であってもよい。また、一部の暗号化の処理が多重化の前に行われ、残りの暗号化の処理が多重化の後に行われてもよい。
【００３１】
［受信装置の構成］
次に、図３及び図４を参照して、本実施形態に係る受信装置２００の構成を説明する。
図３は、本実施形態に係る受信装置２００Ａの構成の一例を示すブロック図である。受信装置２００Ａは、上述したようにテレビジョン装置（テレビ）である。また、受信装置２００Ａは、現行の放送（ＢＳデジタル放送、地上デジタル放送、１１０度ＣＳデジタル放送など）の受信に対応している。
【００３２】
受信装置２００Ａは、受信部２１０Ａと、受信信号処理部２２０Ａと、ＣＡＳ処理部２３０Ａと、制御部２４０Ａと、出力部２５０Ａとを備えている。出力部２５０Ａは、表示部２５１Ａと、スピーカ２５２Ａとを備えている。表示部２５１Ａは、液晶ディスプレイ、有機ＥＬ（ＥｌｅｃｔｒｏＬｕｍｉｎｅｓｃｅｎｃｅ）ディスプレイなどを含んで構成され、入力される映像信号に基づいて映像を表示する。スピーカ２５２Ａは、入力される音声信号に基づいて音声を出力する。
【００３３】
受信部２１０Ａは、チューナ部２１１Ａと、デモジュレータ２１２Ａとを備えている。チューナ部２１１Ａは、ＢＳデジタル放送、地上デジタル放送、１１０度ＣＳデジタル放送などの放送信号を、受信アンテナ５０を介して受信する。受信アンテナ５０は、ＢＳデジタル放送や１１０度ＣＳデジタル放送などの衛星放送の放送信号を受信するパラボラアンテナ、地上デジタル放送の放送信号を受信するＵＨＦアンテナなどである。
【００３４】
チューナ部２１１Ａは、制御部２４０Ａの制御により、ユーザによって選択されたチャンネルの放送信号を選択して受信し、受信信号をデモジュレータ２１２Ａに供給する。デモジュレータ２１２Ａは、受信信号を復調し、ＴＳデータを受信信号処理部２２０Ａへ供給する。
【００３５】
受信信号処理部２２０Ａは、デマルチプレクサ２２１Ａと、ＳＩ解析部２２２Ａと、ＡＶコントロール部２２３Ａと、パケット解析部２２４Ａと、バッファ部２２５Ａと、ＡＶデコード部２２６Ａとを備えている。
【００３６】
デモジュレータ２１２Ａから受信信号処理部２２０Ａに供給されたＴＳデータは、デマルチプレクサ２２１Ａで、映像及び音声データと、番組配列情報などの付加情報（ＳＩなど）に分離される。映像及び音声データがパケット解析部２２４Ａへ、付加情報がＳＩ解析部２２２Ａへ供給される。
【００３７】
ＳＩ解析部２２２Ａは、付加情報に含まれる各種の情報（ＳＩなど）を抽出する。ＳＩ解析部２２２Ａは、抽出した情報のうち映像データに代えてまたは重畳して表示される情報に利用される情報（時刻情報、番組配列情報など）をＡＶコントロール部２２３Ａへ供給する。また、ＳＩ解析部２２２Ａは、ＳＩからＥＣＭ（Ｅｎｔｉｔｌｅｍｅｎｔ  Ｃｏｎｔｒｏｌ  Ｍｅｓｓａｇｅ）、及びＥＭＭ（Ｅｎｔｉｔｌｅｍｅｎｔ  Ｍａｎａｇｅｍｅｎｔ  Ｍｅｓｓａｇｅ）を抽出し、ＣＡＳ処理部２３０Ａまたは制御部２４０Ａへ供給する。
【００３８】
ＡＶコントロール部２２３Ａは、ＳＩ解析部２２２Ａから供給された情報（時刻情報、番組配列情報など）に基づいて、映像データに代えてまたは重畳して表示される情報（時刻情報、電子番組表など）を生成して、ＡＶデコード部２２６Ａへ供給する。
【００３９】
パケット解析部２２４Ａは、ＴＳデータ（パケットデータ）から映像及び音声データのデータ部分のパケット長を求め、映像及び音声データをバッファ部２２５Ａへ供給する。
【００４０】
バッファ部２２５Ａへ供給された映像及び音声データは、ＣＡＳ処理部２３０Ａの処理によって復号（暗号解除）されて、ＡＶデコード部２２６Ａへ供給される。
【００４１】
ＡＶデコード部２２６Ａは、供給された映像及び音声データを、表示部２５１Ａ及びスピーカ２５２Ａに出力可能な映像信号及び音声信号にデコードする。ＡＶデコード部２２６Ａは、デコードした映像信号を表示部２５１Ａに出力する。また、ＡＶデコード部２２６Ａは、デコードした音声信号をスピーカ２５２Ａに出力する。また、ＡＶデコード部２２６Ａは、供給された時刻情報や電子番組表などを、所定の条件（ユーザの操作や所定のタイミングなど）に応じて映像信号として出力する。
【００４２】
ＣＡＳ処理部２３０Ａは、カード挿入部２３１Ａと、ＣＡＳ管理部２３２Ａと、ＣＡＳデスクランブル部２３３Ａとを備えている。カード挿入部２３１Ａは、ＣＡＳカード（外部記憶媒体の一例）を接続する接続部である。カード挿入部２３１Ａには、ＣＡＳカードが挿入され、挿入されて装着されたＣＡＳカードと情報の送受を行う。ＣＡＳカードには、カード毎に固有のカード番号や固有のマスター鍵などが登録されている。また、ＣＡＳカードには、有料放送などの視聴契約が行われた場合、契約に関する個人契約情報が登録される。ＢＳデジタル放送、地上デジタル放送、１１０度ＣＳデジタル放送などの放送番組を受信装置２００Ａで視聴する際には、受信装置２００Ａを購入したときに添付（同梱）されていたＣＡＳカード（ＣＡＳ１）が装着された状態にする必要がある。
【００４３】
ＣＡＳ管理部２３２Ａは、カード挿入部２３１Ａに装着されているＣＡＳカード（ＣＡＳ１）の情報を取得し、ＣＡＳカードのカード番号と受信装置２００Ａの機器ＩＤとを関連付けて管理する。例えば、ＣＡＳ管理部２３２Ａは、ＥＥＰＲＯＭなどのメモリに、カード挿入部２３１Ａに装着されているＣＡＳカードのカード番号と、受信装置２００Ａの機器ＩＤとを関連付けて保存する。
【００４４】
ＣＡＳデスクランブル部２３３Ａは、パケット解析部２２４Ａからバッファ部２２５Ａへ供給された映像及び音声データを、暗号鍵を用いて復号（暗号解除）する。例えば、ＣＡＳデスクランブル部２３３Ａは、ＳＩ解析部２２２Ａで抽出されたＥＭＭを、ＣＡＳカードごとに固有に設定されるマスター鍵を用いて復号する。次に、ＣＡＳデスクランブル部２３３Ａは、ＥＣＭを復号するためのワーク鍵を、復号したＥＭＭから抽出する。ＣＡＳデスクランブル部２３３Ａは、抽出したワーク鍵を用いてＥＣＭを復号し、復号したＥＣＭから映像及音声データを復号するためのスクランブル鍵を抽出する。そして、ＣＡＳデスクランブル部２３３Ａは、抽出したスクランブル鍵を用いて映像及び音声データを復号する。
【００４５】
ここで、ＣＡＳデスクランブル部２３３Ａは、暗号鍵に含まれているカード番号および機器ＩＤが、カード挿入部２３１Ａに装着されているＣＡＳカードのカード番号および受信装置２００Ａの機器ＩＤと一致する場合には復号し、一致しない場合には復号しない。
【００４６】
例えば、送信装置１００でカード番号と機器ＩＤとの関連付け情報に基づいて生成された暗号鍵がマスター鍵である場合、ＣＡＳデスクランブル部２３３Ａは、マスター鍵に含まれているカード番号および機器ＩＤが、カード挿入部２３１Ａに装着されているＣＡＳカードのカード番号および受信装置２００Ａの機器ＩＤと一致する場合にはＥＭＭを復号し、一致しない場合にはＥＭＭを復号しない。ＣＡＳデスクランブル部２３３Ａは、ＥＭＭを復号した場合には、上述したようにワーク鍵を抽出し、抽出したワーク鍵を用いてＥＣＭを復号してスクランブル鍵を抽出する。そして、ＣＡＳデスクランブル部２３３Ａは、抽出したスクランブル鍵を用いて映像及び音声データを復号する。一方、ＣＡＳデスクランブル部２３３Ａは、ＥＭＭを復号しない場合には、ワーク鍵を抽出できずスクランブル鍵も抽出できないため、映像及び音声データを復号しない。
【００４７】
また、送信装置１００でカード番号と機器ＩＤとの関連付け情報に基づいて生成された暗号鍵がＥＭＭから抽出したワーク鍵である場合、ＣＡＳデスクランブル部２３３Ａは、ワーク鍵に含まれているカード番号および機器ＩＤが、カード挿入部２３１Ａに装着されているＣＡＳカードのカード番号および受信装置２００Ａの機器ＩＤと一致する場合にはワーク鍵を用いてＥＣＭを復号し、一致しない場合にはＥＣＭを復号しない。ＣＡＳデスクランブル部２３３Ａは、ＥＣＭを復号した場合、ＥＣＭから映像及音声データを復号するためのスクランブル鍵を抽出し、抽出したスクランブル鍵を用いて映像及び音声データを復号する。一方、ＣＡＳデスクランブル部２３３Ａは、ＥＣＭを復号しない場合には、スクランブル鍵を抽出できないため、映像及び音声データを復号しない。
【００４８】
また、送信装置１００でカード番号と機器ＩＤとの関連付け情報に基づいて生成された暗号鍵がＥＣＭから抽出したスクランブル鍵である場合、ＣＡＳデスクランブル部２３３Ａは、スクランブル鍵に含まれているカード番号および機器ＩＤが、カード挿入部２３１Ａに装着されているＣＡＳカードのカード番号および受信装置２００Ａの機器ＩＤと一致する場合にはスクランブル鍵を用いて映像及び音声データを復号し、一致しない場合には映像及び音声データを復号しない。
【００４９】
このように、ＣＡＳデスクランブル部２３３Ａは、受信装置２００Ａと受信装置２００Ａに装着されているＣＡＳカードとの組み合わせが正規である場合のみ、映像及音声データの暗号を解除して視聴可能とする。
【００５０】
ここで、カード番号および機器ＩＤの判断は、制御部２４０Ａによって行われる。例えば、制御部２４０Ａは、送信装置１００から送信された暗号鍵と、ＣＡＳ管理部２３２Ａで関連付けられているカード番号および機器ＩＤを取得する。そして、制御部２４０Ａは、暗号鍵に含まれるカード番号および機器ＩＤを抽出し、ＣＡＳ管理部２３２Ａで関連付けられているカード番号および機器ＩＤと比較して一致するか否かを判定する。そして、制御部２４０Ａは、暗号鍵に含まれるカード番号および機器ＩＤとＣＡＳ管理部２３２Ａで関連付けられているカード番号および機器ＩＤとが一致する場合、ＣＡＳデスクランブル部２３３Ａに対して復号処理を許可する。一方、制御部２４０Ａは、暗号鍵に含まれるカード番号および機器ＩＤとＣＡＳ管理部２３２Ａで関連付けられているカード番号および機器ＩＤとが一致しない場合、ＣＡＳデスクランブル部２３３Ａに対して復号処理を許可しない（禁止する）。
【００５１】
また、制御部２４０Ａは、ユーザの操作により選択されたチャンネルを示す情報をチューナ部２１１Ａへ供給する。これにより、チューナ部２１１Ａは、ユーザによって選択されたチャンネルの放送信号を受信する。また、制御部２４０Ａは、ユーザの操作により、各種設定画面や電子番組表などを表示部２５１Ａに表示させる制御などを行う。
【００５２】
図４は、本実施形態に係る受信装置２００Ｂの構成の一例を示すブロック図である。受信装置２００Ｂは、上述したようにチューナ（所謂、ＳＴＢ：Ｓｅｔ  Ｔｏｐ  Ｂｏｘ）である。例えば、受信装置２００Ｂは、ＭＭＴ−ＴＬＶ方式に対応した放送信号を受信するチューナである。受信装置２００Ｂは、受信部２１０Ｂと、受信信号処理部２２０Ｂと、ＣＡＳ処理部２３０Ｂと、制御部２４０Ｂとを備えている。受信部２１０Ｂは、チューナ部２１１Ｂと、デモジュレータ２１２Ｂとを備えている。チューナ部２１１Ｂは、ＭＭＴ−ＴＬＶ方式に対応した放送（例えば、新４Ｋ８Ｋ衛星放送）の放送信号を、受信アンテナ５０を介して受信する。例えば、受信アンテナ５０は、新４Ｋ８Ｋ衛星放送に対応したアンテナである。チューナ部２１１Ｂは、制御部２４０Ａの制御により、ユーザによって選択されたチャンネルの放送信号を選択して受信し、受信信号をデモジュレータ２１２Ｂに供給する。デモジュレータ２１２Ｂは、受信信号を復調し、ＴＬＶデータを受信信号処理部２２０Ｂへ供給する。
【００５３】
受信信号処理部２２０Ｂは、デマルチプレクサ２２１Ｂと、ＭＭＴ−ＳＩ解析部２２２Ｂと、ＡＶコントロール部２２３Ｂと、ＭＰＵ/ＭＭＴパケット解析部２２４Ｂと、バッファ部２２５Ｂと、ＡＶデコード部２２６Ｂとを備えている。
【００５４】
デモジュレータ２１２Ｂから受信信号処理部２２０Ｂに供給されたＴＬＶデータは、デマルチプレクサ２２１Ｂで、ＭＰＵ（Ｍｅｄｉａ  Ｐｒｏｃｅｓｓｉｎｇ  Ｕｎｉｔ）／ＭＭＴパケットデータと、番組配列情報などの付加情報（ＭＭＴ−ＳＩなど）に分離される。ＭＰＵ／ＭＭＴパケットデータがＭＰＵ/ＭＭＴパケット解析部２２４Ｂへ、付加情報が、ＭＭＴ−ＳＩ解析部２２２Ｂへ供給される。
【００５５】
ＭＭＴ−ＳＩ解析部２２２Ｂは、付加情報に含まれる各種の情報（ＭＭＴ−ＳＩなど）を抽出する。ＭＭＴ−ＳＩ解析部２２２Ｂは、抽出した情報のうち映像データに代えてまたは重畳して表示される情報に利用される情報（時刻情報、番組配列情報など）をＡＶコントロール部２２３Ｂへ供給する。また、ＭＭＴ−ＳＩ解析部２２２ＢはＭＭＴ−ＳＩからＥＣＭ及びＥＭＭを抽出し、ＣＡＳ処理部２３０Ｂまたは制御部２４０Ｂへ供給する。
【００５６】
ＡＶコントロール部２２３Ｂは、ＭＭＴ−ＳＩ解析部２２２Ｂから供給された情報（時刻情報、番組配列情報など）に基づいて、映像データに代えてまたは重畳して表示される情報（時刻情報、電子番組表など）を生成して、ＡＶデコード部２２６Ｂへ供給する。
【００５７】
パケット解析部２２４Ｂは、ＭＰＵ／ＭＭＴパケットデータから映像及び音声データのデータ部分のパケット長を求め、映像及び音声データをバッファ部２２５Ｂへ供給する。
【００５８】
バッファ部２２５Ｂへ供給された映像及び音声データは、ＣＡＳ処理部２３０Ｂの処理によって復号（暗号解除）されて、ＡＶデコード部２２６Ｂへ供給される。
【００５９】
ＡＶデコード部２２６Ｂは、供給された映像及び音声データを、ＡＶ出力端子から出力可能な映像信号及び音声信号にデコードする。例えば、ＡＶ出力端子は、ＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）端子などである。また、ＡＶデコード部２２６Ｂは、供給された時刻情報や電子番組表などを、所定の条件（ユーザの操作や所定のタイミングなど）に応じて映像信号にデコードする。
【００６０】
ＣＡＳ処理部２３０Ｂは、カード挿入部２３１Ｂと、ＣＡＳ管理部２３２Ｂと、ＣＡＳデスクランブル部２３３Ｂとを備えている。カード挿入部２３１Ｂと、ＣＡＳ管理部２３２Ｂと、ＣＡＳデスクランブル部２３３Ｂとのそれぞれの基本的な構成は、図３に示すカード挿入部２３１Ａと、ＣＡＳ管理部２３２Ａと、ＣＡＳデスクランブル部２３３Ａとのそれぞれと同様の構成である。例えば、ＣＡＳ管理部２３２Ｂは、カード挿入部２３１Ｂに装着されているＣＡＳカード（ＣＡＳ２）の情報を取得し、ＣＡＳカードのカード番号と受信装置２００Ｂの機器ＩＤとを関連付けて管理する。
【００６１】
ＣＡＳデスクランブル部２３３Ｂは、パケット解析部２２４Ｂからバッファ部２２５Ｂへ供給された映像及び音声データを、暗号鍵を用いて復号（暗号解除）する。例えば、ＣＡＳデスクランブル部２３３Ｂは、ＭＭＴ−ＳＩ解析部２２２Ｂで抽出されたＥＭＭを、ＣＡＳカードごとに固有に設定されるマスター鍵を用いて復号し、ＥＣＭを復号するためのワーク鍵を抽出する。ＣＡＳデスクランブル部２３３Ｂは、抽出したワーク鍵を用いてＥＣＭを復号し、復号したＥＣＭから映像及音声データを復号するためのスクランブル鍵を抽出する。そして、ＣＡＳデスクランブル部２３３Ｂは、抽出したスクランブル鍵を用いて映像及び音声データを復号する。ここで、ＣＡＳデスクランブル部２３３Ｂは、暗号鍵に含まれているカード番号および機器ＩＤが、カード挿入部２３１Ｂに装着されているＣＡＳカードのカード番号および受信装置２００Ｂの機器ＩＤと一致する場合には復号し、一致しない場合には復号しない。
【００６２】
このように、ＣＡＳデスクランブル部２３３Ｂは、受信装置２００Ｂと受信装置２００Ｂに装着されているＣＡＳカードとの組み合わせが正規である場合のみ、映像及音声データの暗号を解除して視聴可能とする。
【００６３】
制御部２４０Ｂは、送信装置１００から送信された暗号鍵と、ＣＡＳ管理部２３２Ｂで関連付けられているカード番号および機器ＩＤを取得する。そして、制御部２４０Ｂは、暗号鍵に含まれるカード番号および機器ＩＤを抽出し、ＣＡＳ管理部２３２Ｂで関連付けられているカード番号および機器ＩＤと比較して一致するか否かを判定する。そして、制御部２４０Ｂは、暗号鍵に含まれるカード番号および機器ＩＤとＣＡＳ管理部２３２Ｂで関連付けられているカード番号および機器ＩＤとが一致する場合、ＣＡＳデスクランブル部２３３Ｂに対して復号処理を許可する。一方、制御部２４０Ｂは、暗号鍵に含まれるカード番号および機器ＩＤとＣＡＳ管理部２３２Ｂで関連付けられているカード番号および機器ＩＤとが一致しない場合、ＣＡＳデスクランブル部２３３Ｂに対して復号処理を許可しない（禁止する）。
【００６４】
また、制御部２４０Ｂは、ユーザの操作により選択されたチャンネルを示す情報をチューナ部２１１Ｂへ供給する。これにより、チューナ部２１１Ｂは、ユーザによって選択されたチャンネルの放送信号を受信する。また、制御部２４０Ｂは、ユーザの操作により、各種設定画面や電子番組表などの映像信号をＡＶ出力端子から出力させる制御などを行う。
【００６５】
なお、受信装置２００から契約情報として送信されるＣＡＳ管理部２３２Ａ、２３２Ｂで管理される機器ＩＤに同一のものがある場合、送信装置１００において同一機器ＩＤによるものとして関連付けを行い、その関連付けを行った機器ＩＤとＣＡＳカードのカード番号の更新情報を、同一機器ＩＤの受信装置２００の複数のＣＡＳのカード番号に対して送信するようにしてもよい。
【００６６】
［暗号鍵生成処理］
次に、図５を参照して、送信装置１００が実行する暗号鍵の生成処理の動作について説明する。図５は、本実施形態に係る暗号鍵生成処理の一例を示すフローチャートである。
【００６７】
（ステップＳ１０１）送信装置１００は、受信装置２００の機器ＩＤとその受信装置２００に添付（同梱）されていたＣＡＳカードのカード番号との関連付け情報を取得する。送信装置１００は、取得した機器ＩＤとカード番号との関連付け情報を保存し、ステップＳ１０３の処理に進む。
【００６８】
（ステップＳ１０３）送信装置１００は、取得した機器ＩＤとカード番号との関連付け情報に基づいて暗号鍵を生成する。例えば、送信装置１００は、取得した機器ＩＤとカード番号とが含まれる暗号鍵を生成する。そして、ステップＳ１０５の処理に進む。
【００６９】
（ステップＳ１０５）送信装置１００は、生成した暗号鍵を受信装置２００へ送信する。例えば、送信装置１００は、生成した暗号鍵を放送信号に含めて送信する。
【００７０】
［復号処理（暗号解除処理）］
次に、図６を参照して、受信装置２００が実行する復号処理（暗号解除処理）の動作について説明する。図６は、本実施形態に係る復号処理（暗号解除処理）の一例を示すフローチャートである。
【００７１】
（ステップＳ２０１）受信装置２００は、送信装置１００から送信された放送信号に含まれる暗号鍵を取得する。そして、ステップＳ２０３の処理に進む。
【００７２】
（ステップＳ２０３）受信装置２００は、取得した暗号鍵からＣＡＳカードのカード番号及び受信装置２００の機器ＩＤを抽出する。そして、ステップＳ２０５の処理に進む。
【００７３】
（ステップＳ２０５）受信装置２００は、抽出したカード番号及び機器ＩＤと、この受信装置２００で関連付けられて管理されているカード番号及び機器ＩＤとを比較し、一致するか否かを判定する。一致すると判定された場合（ＹＥＳ）、ステップＳ２０７の処理に進む。
【００７４】
（ステップＳ２０７）受信装置２００は、取得した暗号鍵などを用いて映像及び音声データを復号（暗号解除）して処理を終了する。
【００７５】
一方、ステップＳ２０５において、一致しないと判定された場合（ＮＯ）、受信装置２００は、ステップＳ２０７の復号（暗号解除）処理を行わず、処理を終了する。
【００７６】
以上説明したように、本実施形態に係る放送システム１０は、送信装置１００と、受信装置２００とを備える。送信装置１００は、暗号化された放送信号を送信する送信部１１８を備えている。受信装置２００は、受信部２１０Ａ（２１０Ｂ）と、カード挿入部２３１Ａ（２３１Ｂ）と、ＣＡＳ管理部２３２Ａ（２３２Ｂ）と、ＣＡＳデスクランブル部２３３Ａ（２３３Ｂ）と、を備えている。受信部２１０Ａ（２１０Ｂ）は、送信装置１００から送信された放送信号を受信する。カード挿入部２３１Ａ（２３１Ｂ）（接続部の一例）は、暗号化された放送信号を解読する情報が記録されたＣＡＳカード（外部記憶媒体の一例）を接続する。ＣＡＳ管理部２３２Ａ（２３２Ｂ）は、受信装置２００の機器ＩＤ（受信装置２００を識別可能な識別情報の一例）とＣＡＳカードのカード番号（ＩＣカードに記録された情報の一例）とを関連付けた関連付け情報（管理情報の一例）を管理する。ＣＡＳデスクランブル部２３３Ａ（２３３Ｂ）は、ＣＡＳ管理部２３２Ａ（２３２Ｂ）が管理する関連付け情報に基づいて、受信部２１０Ａ（２１０Ｂ）が受信した暗号化された放送信号を復号する復号部の一例である。
【００７７】
これにより、放送システム１０において、受信装置２００は、送信装置１００から送信された暗号化された放送信号を受信装置２００の機器ＩＤと受信装置２００に装着されているＣＡＳカードのカード番号とに基づいて復号する。そのため、受信装置２００は、受信装置２００とＣＡＳカードとの組み合わせが正規である場合のみ、放送信号の暗号を解除して視聴可能にすることができる。よって、放送システム１０は、他の受信装置２００のＣＡＳカードや不正に入手されたＣＡＳカードでデジタル放送が視聴されてしまうことを防止することができる。
【００７８】
また、ＣＡＳデスクランブル部２３３Ａ（２３３Ｂ）は、受信装置２００の機器ＩＤ（受信装置２００を識別可能な識別情報の一例）とＣＡＳカードのカード番号（ＩＣカードに記録された情報の一例）との組み合わせに基づいて生成された暗号鍵を用いて、受信部２１０Ａ（２１０Ｂ）が受信した暗号化された放送信号を復号する。
【００７９】
これにより、受信装置２００は、送信装置１００から送信された暗号化された放送信号を受信装置２００の機器ＩＤと受信装置２００に装着されているＣＡＳカードのカード番号とに基づいて生成された暗号鍵を用いて復号するため、受信装置２００とＣＡＳカードとの組み合わせが正規である場合のみ、暗号化された放送信号を復号することができる。
【００８０】
例えば、送信装置１００は、制御部１３０（鍵生成部の一例）と、ＣＡＳスクランブル部１２２（暗号化部の一例）とを備えている。制御部１３０は、受信装置２００のＣＡＳ管理部２３２Ａ（２３２Ｂ）が管理する上記関連付け情報（管理情報の一例）に基づいて、受信装置２００の機器ＩＤ（受信装置２００を識別可能な識別情報の一例）とＣＡＳカードのカード番号（ＩＣカードに記録された情報の一例）との組み合わせごとに暗号鍵を生成する。ＣＡＳスクランブル部１２２は、制御部１３０が生成した暗号鍵を用いて放送信号を暗号化する。また、送信装置１００の送信部１１８は、暗号化された放送信号を送信するとともに、制御部１３０が生成した暗号鍵を受信装置２００へ送信する。受信装置２００のＣＡＳデスクランブル部２３３Ａ（２３３Ｂ）は、送信装置１００から送信された暗号鍵と、ＣＡＳ管理部２３２Ａ（２３２Ｂ）が管理する上記関連付け情報とに基づいて、受信部２１０Ａ（２１０Ｂ）が受信した暗号化された放送信号を復号する。
【００８１】
これにより、送信装置１００は、受信装置２００の機器ＩＤと受信装置２００に装着されているＣＡＳカードのカード番号とに基づく暗号鍵を用いて放送信号を暗号化するため、受信装置２００とＣＡＳカードとの組み合わせが正規である場合のみ視聴可能にすることができる。
【００８２】
なお、上述した実施形態における送信装置１００または受信装置２００の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、送信装置１００または受信装置２００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８３】
また、送信装置１００または受信装置２００の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の送信装置１００または受信装置２００内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８４】
また、上記実施形態では、暗号化された放送信号を解読する外部記憶媒体として、ＣＡＳカードなどのＩＣカードを例に説明したが、これに限られるものではなく、他の外部記憶媒体であってもよい。
【００８５】
また、上記実施形態では、受信装置２００がテレビジョン装置またはチューナ（所謂、ＳＴＢ：Ｓｅｔ  Ｔｏｐ  Ｂｏｘ）の構成例を説明したが、これらに限定されるものではない。例えば、受信装置２００は、テレビ放送の受信、録画及び再生が可能なハードディスクレコーダ、Ｂｌｕ−ｒａｙ（登録商標）レコーダやＤＶＤレコーダなど、又はそれらを組み合わせた受信装置であってもよい。
【００８６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８７】
１０  放送システム、３０  放送アンテナ、４０  放送衛星、５０  受信アンテナ、１００  送信装置、１１０  送信信号処理部、１１１  映像・音声エンコード部、１１２  映像・音声同期制御部、１１３  バッファ部、１１４  パケット化部、１１５  ＳＩ生成・パケット化部、１１６  多重化部、１１７  変調部、１１８  送信部、１２０  暗号化部、１２１  ＣＡＳ管理部、１２２  ＣＡＳスクランブル部、１３０  制御部、２００（２００Ａ、２００Ｂ）  受信装置、２１０Ａ，２１０Ｂ  受信部、２１１Ａ，２１１Ｂ  チューナ部、２１２Ａ，２１２Ｂ  デモジュレータ、２２０Ａ，２２０Ｂ  受信信号処理部、２２１Ａ，２２１Ｂ  デマルチプレクサ、２２２Ａ  ＳＩ解析部、２２２Ｂ  ＭＭＴ−ＳＩ解析部、２２３Ａ，２２３Ｂ  ＡＶコントロール部、２２４Ａ  パケット解析部、２２４Ｂ  ＭＰＵ/ＭＭＴパケット解析部、２２５Ａ，２２５Ｂ  バッファ部、２２６Ａ，２２６Ｂ  ＡＶデコード部、２３０Ａ，２３０Ｂ  ＣＡＳ処理部、２３１Ａ，２３１Ｂ  カード挿入部、２３２Ａ，２３２Ｂ  ＣＡＳ管理部、２３３Ａ，２３３Ｂ  ＣＡＳデスクランブル部、２４０Ａ，２４０Ｂ  制御部、２５０Ａ  出力部、２５１Ａ  表示部、２５２Ａ  スピーカ
【図１】
2020053887.tif 000003
【図２】
2020053887.tif 000004
【図３】
2020053887.tif 000005
【図４】
2020053887.tif 000006
【図５】
2020053887.tif 000007
【図６】
2020053887.tif 000008